(57)【要約】【課題】撮影装置が駆動されていない状態において、撮影装置が駆動された場合の状態の切り替え及び把握が可能な撮影装置を提供する。【解決手段】撮影装置を、光学ファインダを用いて静止画像撮影を行う第１状態、表示部に被写体像を表示して静止画像撮影を行う第２状態及び動画像撮影を行う第３状態の少なくとも３種類の撮影状態を切り替え可能な撮影装置であって、少なくとも３種類の撮影状態にそれぞれ対応する少なくとも３箇所の所定位置の間で移動可能な状態切替部と、撮影装置に電力を供給して撮影装置を使用可能な状態にするか否かを切り替える電力切替部と、から構成する。この構成において、電力切替部によって撮影装置が使用可能な状態に切り替えられると、撮影装置は、状態切替部の静止位置に対応する撮影状態で使用可能となる。【選択図】図３
2018067883.tif 000002
【特許請求の範囲】
【請求項１】
光学ファインダを用いて静止画像撮影を行う第１状態、表示部に被写体像を表示して静止画像撮影を行う第２状態及び動画像撮影を行う第３状態の少なくとも３種類の撮影状態を切り替え可能な撮影装置であって、
前記少なくとも３種類の撮影状態にそれぞれ対応する少なくとも３箇所の所定位置の間で移動可能な状態切替部と、
前記撮影装置に電力を供給して該撮影装置を使用可能な状態にするか否かを切り替える電力切替部と、を備え、
前記電力切替部によって前記撮影装置が使用可能な状態に切り替えられると、該撮影装置は、前記状態切替部の静止位置に対応する撮影状態で使用可能となる、
撮影装置。
【請求項２】
前記撮影装置が使用可能な状態で、前記状態切替部が前記３箇所の所定位置の何れかで静止すると、前記撮影状態は、該状態切替部の静止位置に対応する撮影状態に切り替わる、
請求項１に記載の撮影装置。
【請求項３】
前記状態切替部の前記第２状態に対応する所定位置は、前記第１状態に対応する所定位置と前記第３状態に対応する所定位置の間に設けられている、
請求項１又は請求項２に記載の撮影装置。
【請求項４】
前記表示部に画像を表示するための画像信号を出力する撮像素子と、
被写体からの光束を、前記光学ファインダに入射させるか、前記撮像素子に入射させるかを切り替え可能な光路切替部と、
を備え、
前記撮影状態が第１状態と第２状態との間で切り替えられた場合、前記光路切替部は、前記光束を前記光学ファインダに入射させる状態と前記光束を前記撮像素子に入射させる状態との間で切り替え、
前記撮影状態が第２状態と第３状態との間で切り替えられた場合、前記光路切替部は、前記光束を前記撮像素子に入射させる状態で維持する、
請求項１から請求項３の何れか一項に記載の撮影装置。
【請求項５】
前記撮影装置が前記第１状態である場合に、前記表示部に被写体像を表示させずに、該表示部の表示内容を制御する第１表示制御部と、
前記撮影装置が前記第２状態又は第３状態である場合に、前記表示部に被写体像を表示させた状態で、該表示部の表示内容を制御する第２表示制御部と、
を備える、
請求項１から請求項４の何れか一項に記載の撮影装置。
【請求項６】
前記表示部は、該表示部に対する接触を検知することにより、前記撮影装置への入力を受け付ける入力受付部を有し、
前記入力受付部は、
前記撮影装置が前記第１状態である場合に、該撮影装置への入力の受け付けを制限し、
前記撮影装置が前記第２状態又は前記第３状態である場合に、該撮影装置への入力の受け付けを制限しない、
請求項１から請求項５の何れか一項に記載の撮影装置。
【発明の詳細な説明】
【技術分野】
【０００１】
本発明は、撮影装置に関する。
【背景技術】
【０００２】
デジタルカメラ等の撮影装置には、光学ファインダと液晶パネル等の画像表示部を有するものが知られている。この種の撮影装置では、使用者は、光学ファインダを覗く、或いは、画像表示部に表示されたライブビューを見ることにより、被写体を確認して撮像処理を行う。一例として、特許文献１には、使用者が光学ファインダによって被写体を確認して撮影を行う光学ファインダモードと、使用者が表示装置に表示されたライブビュー（電子ファインダ）によって被写体を確認して撮影を行う電子ファインダモードを切り替え可能な撮影装置が開示されている。特許文献１に記載の撮影装置には、撮影モードを切り替えるボタンが備えられている。撮影装置が起動されている状態でボタンが押される毎に、光学ファインダモードと電子ファインダモードが交互に切り替えられる。
【先行技術文献】
【特許文献】
【０００３】
【特許文献１】特開２０１１−４９７５０号公報
【発明の概要】
【発明が解決しようとする課題】
【０００４】
特許文献１に記載の撮影装置では、撮影装置の電源が切られている状態では、撮影装置が光学ファインダモードと電子ファインダモードのどちらの撮影モードになっているかを判別できない。そのため、撮影装置の使用者は、撮影装置を駆動させた後にそのモードを確認する必要があった。また、撮影装置を駆動させた時点で、撮影装置が光学ファインダモードに設定されている場合、通常は電子ファインダモードで撮影を行っている使用者はボタンを押して撮影モードを電子ファインダモードに切り替える必要があった。このように、使用者が撮影モードの確認や撮影モードの切り替え操作を行っている間に、使用者は所望の被写体を撮影する機会（シャッターチャンス）を逃してしまう場合があった。
【０００５】
本発明は上記の事情に鑑みてなされたものであり、撮影装置が駆動されていない状態において、撮影装置が駆動された場合の状態の切り替え及び把握が可能な撮影装置を提供することである。
【課題を解決するための手段】
【０００６】
上記の課題を解決する本発明の実施形態の撮影装置は、光学ファインダを用いて静止画像撮影を行う第１状態、表示部に被写体像を表示して静止画像撮影を行う第２状態及び動画像撮影を行う第３状態の少なくとも３種類の撮影状態を切り替え可能な撮影装置であって、少なくとも３種類の撮影状態にそれぞれ対応する少なくとも３箇所の所定位置の間で移動可能な状態切替部と、撮影装置に電力を供給して撮影装置を使用可能な状態にするか否かを切り替える電力切替部と、を備える。この構成において、電力切替部によって撮影装置が使用可能な状態に切り替えられると、撮影装置は、状態切替部の静止位置に対応する撮影状態で使用可能となる。
【０００７】
このような構成によれば、使用者は、状態切替部の静止位置を見ることにより、撮影装置の撮影状態を把握することができる。また、状態切替部の位置を変更することにより、撮影装置の撮影状態を所望の状態に変更することができる。そのため、使用者は、撮影装置を駆動させた後に撮影状態の確認や切り替えを行う必要が無く、撮影装置を駆動させた後に速やかに撮影処理を行うことができる。
【０００８】
また、本発明の一実施形態において、例えば、撮影装置が使用可能な状態で、状態切替部が３箇所の所定位置の何れかで静止すると、撮影状態は、状態切替部の静止位置に対応する撮影状態に切り替わる。
【０００９】
また、本発明の一実施形態において、状態切替部の第２状態に対応する所定位置は、例えば、第１状態に対応する所定位置と第３状態に対応する所定位置の間に設けられている。
【００１０】
また、本発明の一実施形態において、撮影装置は、例えば、表示部に画像を表示するための画像信号を出力する撮像素子と、被写体からの光束を、光学ファインダに入射させるか、撮像素子に入射させるかを切り替え可能な光路切替部と、を備える。この構成において、撮影状態が第１状態と第２状態との間で切り替えられた場合、光路切替部は、光束を光学ファインダに入射させる状態と光束を撮像素子に入射させる状態との間で切り替える。また、撮影状態が第２状態と第３状態との間で切り替えられた場合、光路切替部は、光束を撮像素子に入射させる状態で維持する。
【００１１】
また、本発明の一実施形態において、撮影装置は、例えば、撮影装置が第１状態である場合に、表示部に被写体像を表示させずに、表示部の表示内容を制御する第１表示制御部と、撮影装置が第２状態又は第３状態である場合に、表示部に被写体像を表示させた状態で、表示部の表示内容を制御する第２表示制御部と、を備える。
【００１２】
また、本発明の一実施形態において、表示部は、例えば、表示部に対する接触を検知することにより、撮影装置への入力を受け付ける入力受付部を有する。この構成において、入力受付部は、撮影装置が第１状態である場合に、撮影装置への入力の受け付けを制限し、撮影装置が第２状態又は第３状態である場合に、撮影装置への入力の受け付けを制限しない。
【発明の効果】
【００１３】
以上のように、本発明によれば、撮影装置が駆動されていない状態において、撮影装置が駆動された場合の状態の切り替え及び把握が可能な撮影装置が提供される。
【図面の簡単な説明】
【００１４】
【図１】図１は、本発明の実施形態に係る撮影装置の構成を示すブロック図である。
【図２】図２は、本発明の実施形態に係る撮影装置の構成を示すブロック図である。
【図３】図３は、本発明の実施形態に係る撮影装置の外観図である。
【図４】図４は、本発明の実施形態に係る撮影モードスイッチの外観図である。
【図５】図５は、本発明の実施形態の変形例に係る撮影装置の外観図である。
【図６】図６は、本発明の実施形態の変形例に係る撮影モードスイッチの外観図である。
【図７】図７は、本発明の実施形態の別の変形例に係る撮影装置の外観図である。
【図８】図８は、本発明の実施形態の別の変形例に係る撮影モードスイッチの外観図である。
【図９】図９は、本発明の実施形態の別の変形例に係る撮影装置の外観図である。
【図１０】図１０は、本発明の実施形態の別の変形例に係る撮影モードスイッチの外観図である。
【発明を実施するための形態】
【００１５】
以下、本発明の一実施形態に係る撮影装置について図面を参照しながら説明する。以下においては、本発明の一実施形態として、デジタル一眼レフカメラについて説明する。
【００１６】
［撮影装置１全体の説明］
図１及び図２は、本発明の一実施形態に係る撮影装置１の構成を示すブロック図である。図１は、撮影装置１が備える第一ミラー１１７がミラーダウンしている状態を示す。図２は、第一ミラー１１７がミラーアップしている状態を示す。図１及び図２に示されるように、撮影装置１は、カメラ本体１００と、カメラ本体１００に着脱可能な交換レンズ２００を備えている。
【００１７】
カメラ本体１００は、シャッタ１０１、撮像素子１０２、信号処理部１０３、画像処理部１０４、バッファメモリ１０５、制御部１０６、ＬＣＤ（Liquid Cristal Display）制御部１０７、ＬＣＤ１０８、カードインタフェース１０９、メモリカード１１０、メインスイッチ１１１、撮影モードスイッチ１１２、操作部１１３、絞り／シャッタ駆動回路１１４、レンズ駆動部１１５、ミラー駆動部１１６、第一ミラー１１７、ファインダ光学系１２０、第二ミラー１２２、測距センサ１２３、測光センサ１２４、レリーズボタン１２５、タッチセンサ１２６、露出モードダイヤル１２７、ＲＯＭ（Read Only Memory）１３０、内蔵メモリ１３１を有している。また、ファインダ光学系１２０は、ペンタプリズム１１８及び接眼レンズ１１９を有している。
【００１８】
交換レンズ２００は、撮像光学系２０１、絞り２０２を有している。なお、図１及び図２では、便宜上、撮像光学系２０１が１枚構成で示されているが、実際には、撮像光学系２０１は、より多い枚数で構成されていてもよい。
【００１９】
図３は、撮影装置１の外観図（正面図、背面図、上面図）である。撮影装置１のカメラ本体１００には、メインスイッチ１１１やレリーズボタン１２５、撮影モードスイッチ１１２、操作部１１３など、使用者が撮影装置１を操作するために必要な各種スイッチやボタンが設けられている。また、操作部１１３には、撮影装置１の各種設定を行うためのスイッチ、ボタン等が含まれる。カメラ本体１００には、交換レンズ２００が着脱可能に装着される。また、カメラ本体１００の、交換レンズ２００が装着される面の反対側の面には、被写体像のライブビューや各種情報の表示に使用されるＬＣＤ１０８が設けられている。使用者によりメインスイッチ１１１が操作されると、図示省略されたバッテリから撮影装置１の各種回路に電源ラインを通じて電力供給が行われて、撮影装置１が起動される。
【００２０】
制御部１０６は、電力供給後、撮影装置１内のＲＯＭ１３０にアクセスして制御プログラムを読み出して実行することにより、撮影装置１の駆動及び制御を行う。
【００２１】
撮影モードスイッチ１１２は、使用者が撮影装置１を用いて撮影を行う際に使用者にとって視認し易く且つ操作し易い位置に配置されている。図３に示す構成では、撮影モードスイッチ１１２は、カメラ本体１００の背面（ＬＣＤ１０８が配置されている面）に設けられている。撮影モードスイッチ１１２は、撮影装置１の撮影モードを切り替えるために使用される。撮影装置１は、撮影モードとして、静止画像を撮影する静止画像撮影モードと、動画像を撮影する動画像撮影モードを有している。また、静止画像撮影モードには、使用者が接眼レンズ１１９を通して被写体を確認して静止画撮影を行う光学ファインダモードと、使用者がＬＣＤ１０８に表示される被写体像のライブビューを確認して静止画撮影を行う電子ファインダモードが含まれる。また、動画像撮影モードは、ＬＣＤ１０８に表示される被写体像のライブビューを確認して動画像影を行うモードである。
【００２２】
図４は、撮影モードスイッチ１１２の外観図である。撮影モードスイッチ１１２は、軸Ｏを中心に回動可能である。また、撮影モードスイッチ１１２は、所謂インデックスレバーであり、所定の回動位置で静止させることが可能である。本実施形態では、撮影モードスイッチ１１２は、光学ファインダモード（静止画撮影）、電子ファインダモード（静止画撮影）又は動画像撮影モードに対応した３箇所の所定位置で静止させることができる。各所定位置には、撮影モードを表す記号（例えば、文字列）が記載されている。使用者が撮影モードスイッチ１１２のレバー１１２Ａを回動（移動）させて、３箇所の所定位置のうち何れかの位置で静止させると、撮影装置１の撮影モードがレバー１１２Ａの位置に応じた撮影モードに切り替えられる。
【００２３】
本実施形態では、撮影モードスイッチ１１２は、メインスイッチ１１１とは別に設けられている。そのため、使用者は、撮影モードスイッチ１１２を、撮影装置１に電力が供給されていない状態と、撮影装置１に電力が供給されて駆動している状態の何れの状態においても操作することができる。また、使用者は、撮影装置１が駆動していなくても、撮影モードスイッチ１１２のレバー１１２Ａの位置を見ることにより、撮影装置１がどの撮影モードで起動されるかを把握することができる。撮影装置１に電力が供給されていない状態で撮影モードスイッチ１１２が操作され、次いで、撮影装置１に電力が供給されると、撮影装置１はレバー１１２Ａの位置に対応する撮影モードで駆動する。また、撮影装置１が駆動している状態で撮影モードスイッチ１１２が操作されると、それに応じて撮影装置１の撮影モードが切り替えられる。
【００２４】
［光学ファインダモードにおける静止画像撮影処理］
撮影装置１の撮影モードが光学ファインダモードである場合、ミラー駆動部１１６により、第一ミラー１１７は撮像光学系２０１を通過した被写体からの光束（被写体光束）の光路上に配置される。被写体光束は第一ミラー１１７で反射され、ファインダ光学系１２０に入射される。
【００２５】
ファインダ光学系１２０は、ペンタプリズム１１８及び接眼レンズ１１９を有している。ファインダ光学系１２０に入射された被写体光束は、ペンタプリズム１１８の各反射面で反射されることによって正立像となり、接眼レンズ１１９に入射される。被写体光束は、接眼レンズ１１９により、使用者の観察に適する虚像に再結像される。使用者は、接眼レンズ１１９によって再結像された被写体像（虚像）を、接眼レンズ１１９を覗くことにより観察することができる。
【００２６】
使用者によりレリーズボタン１２５が半押し操作されると、制御部１０６は、被写体光束を基にＡＦ（Autofocus）制御を行う。具体的には、被写体光束は、撮像光学系２０１及び絞り２０２を介して第一ミラー１１７に入射される。第一ミラー１１７の一部の領域は、ハーフミラー領域となっている。そのため、被写体光束の一部は、第一ミラー１１７（ハーフミラー領域）を透過して、第一ミラー１１７の後段に配置された第二ミラー１２２にて下方に反射されて、測距センサ１２３に入射される。
【００２７】
測距センサ１２３は、入射光束に応じた信号を制御部１０６に出力する。制御部１０６は、測距センサ１２３より入力される信号に基づいてデフォーカス演算を行い、演算によって求められたフォーカス制御信号を、レンズ駆動部１１５に出力する。
【００２８】
レンズ駆動部１１５は、フォーカス制御信号に基づいて撮像光学系２０１内の一部のレンズ（フォーカスレンズ）を他のレンズに対して光軸方向に相対移動させることにより、撮像光学系２０１のピント位置を適正位置に調節する。
【００２９】
また、例えばレリーズボタン１２５が全押し操作されると、制御部１０６は、測光センサ１２４による測光値（言い換えると、被写体の明るさ）に基づいて適正露出が得られるように、絞り／シャッタ駆動回路１１４を介してシャッタ１０１を駆動制御すると共に、絞り２０２に絞り制御信号を出力する。
【００３０】
絞り２０２は絞り制御信号に基づいて変更する。なお、シャッタ１０１及び絞り２０２の駆動制御は、プログラムＡＥ（Automatic Exposure）、シャッタ優先ＡＥ、絞り優先ＡＥなど、露出モードダイヤル１２７により指定されるＡＥ機能に基づいて行われる。
【００３１】
制御部１０６は、ミラー駆動部１１６を介して、第一ミラー１１７をクイックリターンさせる。すなわち、制御部１０６は、シャッタ１０１（ここではフォーカルプレーンシャッタ）の先幕走行開始直前から後幕走行終了直後の期間に限り、第一ミラー１１７を被写体光束の光路から退避させる。また、第二ミラー１２２は、第一ミラー１１７とメカ的に連動する構成となっており、第一ミラー１１７と共に被写体光束の光路から退避される。
【００３２】
被写体光束は、第一ミラー１１７および第二ミラー１２２が光路から退避されている間、撮像光学系２０１、絞り２０２及びシャッタ１０１を通過して、シャッタ１０１の後段に配置された撮像素子１０２の受光面上で結像される。
【００３３】
撮像素子１０２は、ＣＭＯＳ（Complementary Metal Oxide Semiconductor）型イメージセンサ及びその周辺回路をチップ化したものである。ＣＭＯＳ型イメージセンサは、ベイヤ配列の原色カラーモザイクフィルタがオンチップで形成された２次元単板式カラーセンサである。撮像素子１０２は、受光面上の各画素で結像した光学像を光量に応じた電荷として蓄積し、画像信号を生成して信号処理部１０３に出力する。なお、ＣＭＯＳ型イメージセンサは、ベイヤ配列フィルタ等の原色系フィルタに限らず、補色系フィルタ（例えば補色市松フィルタ）が搭載されたものであってもよい。また、撮像素子１０２は、ＣＣＤ（Charge Coupled Device）型イメージセンサ及びその周辺回路をチップ化したものであってもよい。
【００３４】
信号処理部１０３は、撮像素子１０２より入力される画像信号に対してクランプ、デモザイク等の所定の信号処理を施して、画像処理部１０４に出力する。画像処理部１０４は、信号処理部１０３より入力される画像信号に対してマトリクス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮して撮影画像（静止画像データ）を生成する。バッファメモリ１０５は、画像処理部１０４による処理の実行時、処理データの一時的な保存場所として用いられる。また、撮影画像の保存形式は、ＪＰＥＧ形式に限らず、最小限の画像処理（例えば黒レベルの補正等）しか施されないＲＡＷ形式であってもよい。
【００３５】
カードインタフェース１０９のカードスロットには、メモリカード１１０が着脱可能に差し込まれている。
【００３６】
画像処理部１０４は、カードインタフェース１０９を介してメモリカード１１０と通信可能である。画像処理部１０４は、生成された撮影画像（静止画像データ）をメモリカード１１０に保存する。なお、撮影画像の保存先はメモリカード１１０に限らず、撮影装置１に備えられる内蔵メモリ１３１に保存されてもよい。
【００３７】
［電子ファインダモードにおける静止画像撮影処理］
撮影装置１の撮影モードが電子ファインダモードである場合、ミラー駆動部１１６により、第一ミラー１１７および第二ミラー１２２は、被写体光束の光路上から退避された状態が維持される。そのため、被写体光束は、常時、撮像素子１０２の受光面上で結像される。
【００３８】
撮像素子１０２は、受光した被写体光束に応じた画像信号を信号処理部１０３に出力する。信号処理部１０３は、撮像素子１０２より入力される画像信号に対して所定の信号処理を施して、画像処理部１０４に出力する。
【００３９】
画像処理部１０４は、画像信号に対して所定の信号処理を施して輝度信号Ｙ、色差信号Ｃｂ、Ｃｒを生成する。生成された輝度信号Ｙ、色差信号Ｃｂ、Ｃｒはバッファメモリ１０５にフレーム単位でバッファリングする。画像処理部１０４は、バッファリングされた信号を所定のタイミングでバッファメモリ１０５から掃き出して所定のフォーマットのビデオ信号に変換し、ＬＣＤ制御部１０７に出力する。ＬＣＤ制御部１０７は、画像処理部１０４より入力される画像信号を基にＬＣＤ１０８を変調制御する。これにより、被写体像がＬＣＤ１０８の表示画面に表示される。使用者は、リアルタイムのスルー画（ライブビュー）を、ＬＣＤ１０８の表示画面を通じて視認することができる。
【００４０】
ＬＣＤ１０８にライブビューが表示されている状態で、使用者によりレリーズボタン１２５が半押し操作されると、制御部１０６は、画像信号を用いてＡＦ制御を行う。ＡＦ制御には、例えば、コントラスト検出方式や像面位相差検出方式が採用される。これにより、撮像光学系２０１のピント位置が適正位置に調節される。
【００４１】
また、レリーズボタン１２５が全押し操作されると、制御部１０６は、画像信号の信号レベルに基づいて適正露出が得られるように、絞り／シャッタ駆動回路１１４を介してシャッタ１０１を駆動制御すると共に、絞り２０２に絞り制御信号を出力する。絞り２０２は、絞り制御信号に基づいて絞り値を変更する。
【００４２】
撮像素子１０２は、受光面上の各画素で結像した光学像を光量に応じた電荷として蓄積し、画像信号を生成して信号処理部１０３に出力する。
【００４３】
撮像素子１０２から出力された画像信号は、信号処理部１０３及び画像処理部１０４で所定の信号処理が施される。画像信号に信号処理が施されて生成された撮影画像（静止画像データ）は、メモリカード１１０に保存される。なお、静止画像データの保存先はメモリカード１１０に限らず、撮影装置１に備えられる内蔵メモリ１３１に保存されてもよい。
【００４４】
［動画像撮影モードにおける動画像撮影処理］
撮影装置１の撮影モードが動画像撮影モードである場合、ミラー駆動部１１６により、第一ミラー１１７および第二ミラー１２２が被写体光束の光路上から退避され、その状態が維持される。また、電子ファインダモード時と同様に、ＬＣＤ１０８に、被写体像のライブビューが表示される。
【００４５】
レリーズボタン１２５に対して動画像撮影の開始指示が入力されると、画像処理部１０４は、信号処理部１０３から順次入力される画像信号をＭＰＥＧ２（Moving Picture Experts Group 2）等の所定のフォーマットで圧縮して動画像データを生成する。生成された動画像データは、カードインタフェース１０９を介してメモリカード１１０に記録される。なお、動画像データの保存先はメモリカード１１０に限らず、撮影装置１に備えられる内蔵メモリ１３１に保存されてもよい。さらに、動画像データの規格はＭＰＥＧ２に限らず、例えば、ＭＰＥＧ４等の別の規格であってもよい。
【００４６】
［再生処理］
画像処理部１０４は、使用者により撮影画像の再生操作が行われると、操作により指定された静止画像データ又は動画像データをメモリカード１１０又は内蔵メモリ１３１より読み出して所定のフォーマットの画像信号に変換し、ＬＣＤ制御部１０７に出力する。ＬＣＤ制御部１０７が画像処理部１０４より入力される画像信号を基に液晶を変調制御することで、被写体の撮影画像がＬＣＤ１０８の表示画面に表示される。
【００４７】
本実施形態によれば、撮影モードスイッチ１１２のレバー１１２Ａの静止位置に応じて撮影装置１の撮影モードが切り替わるため、使用者はレバー１１２Ａの位置を見ることにより、そのときの撮影装置１の撮影モードを把握することができる。また、レバー１１２Ａの位置を使用者が頻繁に使用する撮影モードに対応する位置に予め設定しておくことにより、撮影装置１が駆動された後に、使用者が撮影モードを切り替える必要がなくなる。これにより、撮影装置１が駆動されてから撮影が開始されるまでの時間が短縮され、使用者がシャッターチャンスを逃すことを防止することができる。
【００４８】
また、上述のように、本実施形態の撮影装置１は、その撮影モードに応じて静止画像（又は動画像）の撮影処理が異なる。例えば、光学ファインダモードでは、レリーズボタン１２５が全押しされていない状態において、第一ミラー１１７および第二ミラー１２２は、被写体光束の光路に配置されたミラーダウンの状態となる。一方、電子ファインダモードや動画撮影モードでは、第一ミラー１１７および第二ミラー１２２は、被写体光束の光路から常に退避されたミラーアップの状態となる。そのため、撮影装置１が駆動している状態で撮影装置１の撮影モードが切り替えられると、第一ミラー１１７および第二ミラー１２２がミラーダウンの状態とミラーアップの状態の間で切り替わる。しかし、第一ミラー１１７および第二ミラー１２２の状態が切り替えられると、第一ミラー１１７および第二ミラー１２２を動かすための電力が消費されたり、撮影装置１に第一ミラー１１７および第二ミラー１２２が動くことによる振動が発生するという問題が生じる。この問題に対し、本実施形態の撮影装置１は、第一ミラー１１７および第二ミラー１２２が、必要が無い限り、状態が切り替えられないように構成されている。
【００４９】
図４に示すように、本実施形態の撮影モードスイッチ１１２は、撮影モードに応じた位置にレバー１１２Ａを回動可能に構成されている。また、撮影モードスイッチ１１２の電子ファインダモードに対応する位置（図４における「ＬＶ」）は、光学ファインダに対応する位置（「ＯＶＦ」）と動画像撮影モードに対応する位置（「Ｍｏｖｉｅ」）の間に配置されている。レバー１１２Ａの位置が、図４（ａ）、図４（ｂ）、図４（ｃ）に示される位置に順次回動されると、撮影装置１の撮影モードが、光学ファインダモード、電子ファインダモード、動画像撮影モードの順に切り替わる。また、撮影モードが光学ファインダモードと電子ファインダモードの間で切り替えられた場合、第一ミラー１１７および第二ミラー１２２は、ミラーダウンの状態とミラーアップの状態との間で切り替えられる。撮影モードが電子ファインダモードと動画像撮影モードの間で切り替えられた場合、第一ミラー１１７および第二ミラー１２２はミラーアップの状態が維持される。
【００５０】
このように、本実施形態では、撮影モードスイッチ１１２の電子ファインダモードに対応する位置と動画像撮影モードに対応する位置が隣り合って配置されているため、撮影モードが電子ファインダモードと動画像撮影モードの間で切り替えられた場合に、第一ミラー１１７および第二ミラー１２２をミラーダウンの状態にする必要が無い。これにより、第一ミラー１１７および第二ミラー１２２を駆動させることによる電力の消費や撮影装置１の振動の発生を抑えることができる。
【００５１】
また、本実施形態では、撮影モードスイッチ１１２の光学ファインダモードに対応する位置と電子ファインダモードに対応する位置が隣り合って配置されている。そのため、使用者が静止画像の撮影を光学ファインダモードと電子ファインダモードのどちらで行うかを切り替える際に、撮影装置１の撮影モードが動画像撮影モードに切り替わってしまうことを防止することができる。
【００５２】
また、図４に示す構成では、撮影モードスイッチ１１２のレバー１１２Ａは、３つの撮影モード（光学ファインダモード、電子ファインダモード、動画像撮影モード）に対応する位置の間で回動（移動）可能であるが、本実施形態はこの構成に限定されない。例えば、撮影モードスイッチ１１２のレバー１１２Ａは、この３つの撮影モード以外のモードに対応する位置に移動可能であってもよい。例えば、レバー１１２Ａは、３つの撮影モード以外に、メモリカード１１０等に保存されている画像データを再生するモードに対応する位置に移動可能であってもよい。
【００５３】
また、本実施形態では、撮影装置１のＬＣＤ１０８には、被写体のライブビューや撮影画像データ又は動画データに基づく画像以外の情報を表示させることができる。例えば、ＬＣＤ１０８には、撮影装置１の露出モードや、シャッタスピードや絞り２０２の設定値、日時、撮影装置１の傾き等の撮影装置１の状態（装置情報）を表す文字や記号等を表示させることができる。ＬＣＤ１０８には、これらの装置情報の状態が、単独で、或いは、ライブビューや画像データに基づく画像に重畳して表示させることができる。また、操作部１１３に対する操作により、ＬＣＤ１０８に装置情報を表示させるか否かを切り替えることができる。
【００５４】
例えば、撮影装置１の撮影モードが光学ファインダモードであるとき、ＬＣＤ１０８には被写体のライブビューは表示されない。この場合、ＬＣＤ制御部１０７は、操作部１１３に対する操作に応じて、ＬＣＤ１０８に装置情報のみを表示させるか、又は、ＬＣＤ１０８に何も表示させないかを切り替える。例えば、夜間に撮影する場合や、暗所で撮影する場合など、撮影環境が暗いときにＬＣＤ１０８に装置情報を表示させると、ＬＣＤ１０８から発せられる光が撮影画像に悪影響を与える虞がある。そのため、本実施形態の撮影装置１は、撮影モードが光学ファインダモードであるときにＬＣＤ１０８に何も表示させない状態に切り替え可能とすることにより、ＬＣＤ１０８から発せられる光による撮影画像への悪影響を防止することができる。
【００５５】
また、撮影装置１の撮影モードが電子ファインダモード又は動画像撮影モードであるとき、ＬＣＤ１０８には被写体のライブビューが表示される。この場合、ＬＣＤ制御部１０７は、操作部１１３に対する操作に応じて、ＬＣＤ１０８にライブビューのみを表示させるか、又は、ＬＣＤ１０８に装置情報をライブビューに重畳して表示させるかを切り替える。この光学ファインダモードにおけるＬＣＤ１０８の表示の制御と、電子ファインダモード又は動画像撮影モードにおけるＬＣＤ１０８の表示の制御は、同一の操作部１１３に対する操作に応じて実行されてもよい。
【００５６】
また、本実施形態では、使用者が撮影モードスイッチ１１２に対し撮影モードを電子ファインダモードと動画像撮影モードの間で切り替える操作を行った場合、ＬＣＤ１０８にライブビューのみを表示させるか、又は、ＬＣＤ１０８に装置情報をライブビューに重畳して表示させるかの設定は維持される。そのため、使用者は、撮影モードを切り替える毎にＬＣＤ１０８の表示内容を切り替える必要が無く、操作部１１３の操作を最小限に抑えることができる。また、使用者が撮影モードを電子ファインダモードと動画像撮影モードの間で切り替えてもＬＣＤ１０８の表示内容（ライブビューのみを表示させるか、又は、装置情報をライブビューに重畳して表示させるか）は変わらないため、使用者がＬＣＤ１０８の表示内容に対して違和感を覚えることを防止することができる。
【００５７】
また、本実施形態のＬＣＤ１０８は、使用者の指等の接触を検知して入力を受け付けるタッチセンサ１２６を有していてもよい。この場合、使用者は、ＬＣＤ１０８に触れることにより、撮影装置１の各種設定の選択や設定値の入力等を行うことができる。例えば、ＬＣＤ１０８にライブビューが表示されている状態で使用者がＬＣＤ１０８に対して接触による入力を行うことにより、使用者は、ライブビューとして表示される被写体像のうちＡＦ制御やＡＥ制御を行うポイントを指定することができる。
【００５８】
また、本実施形態では、撮影装置１の撮影モードに応じて、ＬＣＤ１０８のタッチセンサ１２６が接触による入力を受け付けるか否かが切り替えられてもよい。例えば、撮影装置１の撮影モードが電子ファインダモードや動画像撮影モードに設定された状態で撮影待機中（レリーズボタン１２５の押下を待っている状態）である場合、タッチセンサ１２６は接触による入力を受け付ける。これにより、使用者はライブビューを確認しながら被写体像のうちＡＦ制御やＡＥ制御等を行うポイントを指定することができる。
【００５９】
一方、撮影装置１の撮影モードが光学ファインダモードに切り替えられると、タッチセンサ１２６は、撮影装置１が撮影待機中である場合に接触による入力を受け付けないように設定される。光学ファインダモードでは、使用者は接眼レンズ１１９を覗いて被写体を確認する。このとき、タッチセンサ１２６が接触による入力を受け付けるように設定されていると、使用者の鼻や頬等がＬＣＤ１０８（タッチセンサ１２６）に意図せずに接触した場合に、撮影装置１が誤って操作されてしまう虞があった。そのため、本実施形態では、撮影装置１の撮影モードが光学ファインダモードに設定され、且つ、撮影装置１が撮影待機中である場合、タッチセンサ１２６が接触による入力を受け付けなくなる。これにより、撮影装置１の誤操作を防止することができる。
【００６０】
なお、撮影モードが光学ファインダモードに設定されていても、撮影装置１が撮影待機中ではない場合は、タッチセンサ１２６は、接触による入力を受け付けるように設定されてもよい。例えば、撮影装置１が撮影待機中に操作部１１３に対して撮影装置１の各種設定を開始するための操作が行われ、撮影待機状態が解除された場合、タッチセンサ１２６は、各種設定を行うための操作を受け付けてもよい。
【００６１】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【００６２】
例えば、本実施形態の撮影モードスイッチ１１２は、図４に示す構成に限定されない。図５及び図６は、本実施形態の変形例にかかる撮影装置１及び撮影モードスイッチ１１２の外観図である。本変形例では、撮影モードスイッチ１１２は、カメラ本体１００の背面に設けられている。撮影モードスイッチ１１２は、上下に移動可能なツマミ１１２Ｂを有しており、撮影モードに対応した３箇所の所定位置で静止させることができる。カメラ本体１００のうち、ツマミ１１２Ｂを静止させることが可能な所定位置の隣の領域には、対応する撮影モードを表す記号（例えば、文字列）が記載されている。また、撮影モードスイッチ１１２の電子ファインダモードに対応する位置は、光学ファインダに対応する位置と動画像撮影モードに対応する位置の間に配置されている。使用者がツマミ１１２Ｂを移動させて、３箇所の所定位置のうち何れかの位置で静止させると、撮影装置１の撮影モードが切り替えられる。
【００６３】
また、本実施形態の撮影モードスイッチ１１２が設けられる位置は、カメラ本体１００の背面に限定されない。図７及び図８は、本実施形態の別の変形例にかかる撮影装置１及び撮影モードスイッチ１１２の外観図である。本変形例においても、撮影モードスイッチ１１２は使用者にとって視認し易く且つ操作し易い位置に配置されている。詳しくは、本変形例では、撮影モードスイッチ１１２は、カメラ本体１００の上部に設けられている。本変形例において、撮影モードスイッチ１１２は回動可能な円柱状のダイヤルである。ダイヤルの上面には、各撮影モードを表す記号（例えば、文字列）が回転方向に並べて記載されている。また、ダイヤルの上面において、電子ファインダモードを表す記号は、光学ファインダに対応する記号の記載位置と動画像撮影モードに対応する記号の記載位置の間に記載されている。カメラ本体１００の上面には、指標１１２Ｃが設けられている。ダイヤルの上面の何れかの記号が指標１１２Ｃと隣り合うようにダイヤルが回動されると、撮影装置１の撮影モードが、当該記号に対応した撮影モードに切り替えられる。
【００６４】
また、図７に示す構成では、カメラ本体１００の上部には、露出モードダイヤル１２７が設けられている。この露出モードダイヤル１２７により、プログラムＡＥ、シャッタ優先ＡＥ、絞り優先ＡＥなどのＡＥ機能が選択される。図７に示される変形例では、撮影モードスイッチ１１２と露出モードダイヤル１２７が別々に設けられているが、本実施形態はこの構成に限定されない。
【００６５】
図９及び図１０は、本実施形態の別の変形例にかかる撮影装置１及び撮影モードスイッチ１１２の外観図である。本変形例では、撮影モードスイッチ１１２と露出モードダイヤル１２７は、使用者にとって視認し易く操作し易いように、カメラ本体１００の上部に配置されている。露出モードダイヤル１２７は、露出モードの設定を行うために使用される。撮影モードスイッチ１１２は、露出モードダイヤル１２７を囲うリング形状を有している。露出モードダイヤル１２７と撮影モードスイッチ１１２は同軸を有し、互いに独立に回動可能である。撮影モードスイッチ１１２はレバー１１２Ｄを有しており、レバー１１２Ｄを撮影モードに対応した３箇所の所定位置で静止させることができる。カメラ本体１００のうち、レバー１１２Ｄを静止させることが可能な所定位置の隣の領域には、対応する撮影モードを表す記号（例えば、文字列）が記載されている。使用者がレバー１１２Ｄを移動させて、３箇所の所定位置のうち何れかの位置で静止させると、撮影装置１の撮影モードが切り替えられる。
【００６６】
図９及び図１０に示す構成では、撮影モードスイッチ１１２と露出モードダイヤル１２７がカメラ本体１００の上部に同軸に配置されている。そのため、使用者は、撮影モードと露出モードがそれぞれどのモードに設定されているか、言い換えると、撮影モードと露出モードの組み合わせを容易に視認できると共に、撮影モードと露出モードの組み合わせを素早く変更することができる。
【００６７】
なお、図９及び図１０に示す構成では、撮影モードスイッチ１１２と露出モードダイヤル１２７は同軸に配置されているが、本発明の実施形態はこの構成に限定されない。詳しくは、撮影モードと露出モードの両方を容易に視認できるようにするためには、撮影モードスイッチ１１２は露出モードダイヤル１２７の近傍に配置されていればよい。例えば、カメラ本体１００の上部において、撮影モードスイッチ１１２を露出モードダイヤル１２７の隣に配置することにより、使用者は撮影モードと露出モードの両方を容易に視認及び変更することができる。
【符号の説明】
【００６８】
１  撮影装置
１００  カメラ本体
１０１  シャッタ
１０２  撮像素子
１０３  信号処理部
１０４  画像処理部
１０５  バッファメモリ
１０６  制御部
１０７  ＬＣＤ制御部
１０８  ＬＣＤ
１０９  カードインタフェース
１１０  メモリカード
１１１  メインスイッチ
１１２  撮影モードスイッチ
１１２Ａ  レバー
１１２Ｂ  ツマミ
１１２Ｃ  指標
１１２Ｄ  レバー
１１３  操作部
１１４  絞り／シャッタ駆動回路
１１５  レンズ駆動部
１１６  ミラー駆動部
１１７  第一ミラー
１１８  ペンタプリズム
１１９  接眼レンズ
１２０  ファインダ光学系
１２２  第二ミラー
１２３  測距センサ
１２４  測光センサ
１２５  レリーズボタン
１２６  タッチセンサ
１２７  露出モードダイヤル
１３０  ＲＯＭ
１３１  内蔵メモリ
２００  交換レンズ
２０１  撮像光学系
２０２  絞り
【図１】
2018067883.tif 000003
【図２】
2018067883.tif 000004
【図３】
2018067883.tif 000005
【図４】
2018067883.tif 000006
【図５】
2018067883.tif 000007
【図６】
2018067883.tif 000008
【図７】
2018067883.tif 000009
【図８】
2018067883.tif 000010
【図９】
2018067883.tif 000011
【図１０】
2018067883.tif 000012